(57)【要約】【課題】遊技者が操作することにより図柄変動表示時間を短縮できるパチンコ遊技機において、過度に射幸心を煽ることがなく、適度な遊技性を備えるようにする。【解決手段】始動条件の成立に伴い図柄変動表示器１２に表示された図柄が変動表示し、所定時間経過後にその変動表示が停止し、停止図柄が所定態様を形成していた際に特別遊技状態となるものであって、遊技者が操作し得る操作手段１６が付設され、該操作手段が操作されると図柄変動表示時間が短縮されるようにしたパチンコ遊技機において、操作手段が操作されても図柄変動時間短縮が常には許容されず、遊技盤の遊技領域の特定位置に設けられた検出スイッチ４により遊技球が検出された場合に予め定められた回数に限って許容されるようにする図柄変動時間短縮制御手段を設けた。【選択図】図１
2005143584.tif 000002
【特許請求の範囲】
【請求項１】
始動条件の成立に伴い図柄変動表示器に表示された図柄が変動表示され、所定時間経過後に変動表示が停止してその停止図柄が所定態様を形成していた際に特別遊技状態となるパチンコ遊技機であって、遊技者が操作し得る操作手段が付設され、該操作手段が操作されると前記図柄変動表示時間が短縮されるようにしたものにおいて、
操作手段が操作されても図柄変動時間短縮が常には許容されず、所定条件が充足された場合に予め定められた回数に限って許容されるようにする図柄変動時間短縮制御手段を設けたことを特徴とするパチンコ遊技機。
【請求項２】
始動条件の成立に伴い図柄変動表示器に表示された図柄が変動表示し、所定時間経過後にその変動表示が停止し、停止図柄が所定態様を形成していた際に特別遊技状態となるものであって、遊技者が操作し得る操作手段が付設され、該操作手段が操作されると図柄変動表示時間が短縮されるようにしたパチンコ遊技機において、
操作手段が操作されても図柄変動時間短縮が常には許容されず、遊技盤の遊技領域の特定位置に設けられた検出スイッチにより遊技球が検出された場合に予め定められた回数に限って許容されるようにする図柄変動時間短縮制御手段を設けたことを特徴とするパチンコ遊技機。
【請求項３】
図柄変動時間短縮が許容される回数は抽選により決定されるようにした請求項１または２に記載のパチンコ遊技機。
【請求項４】
図柄変動時間短縮が許容されることを遊技者に報知する報知手段を設けた請求項１〜３のいずれかに記載のパチンコ遊技機。
【請求項５】
図柄変動時間短縮が許容される回数が累積して記憶されるようにするとともに、その累積記憶回数を遊技者に報知する報知手段を設けた請求項１〜４のいずれかに記載のパチンコ遊技機。
【請求項６】
特別遊技状態となったとき、所定時間遊技が行われていないとき、電源が開閉されたとき等、予め定められた条件が満たされた場合に、図柄変動時間短縮の許容が取り消されるようにした請求項１〜５のいずれかに記載のパチンコ遊技機。
【請求項７】
始動条件の成立に伴い図柄変動表示器に表示された図柄が変動表示し、所定時間経過後にその変動表示が停止し、停止図柄が所定態様を形成していた場合に予め定められた回数に限って図柄変動時間短縮が許容されるようにする図柄変動時間短縮制御手段を設けた請求項１または請求項３〜６のいずれかに記載のパチンコ遊技機。
【請求項８】
始動条件の成立に伴い図柄変動表示器に表示された図柄が変動表示し、所定時間経過後にその変動表示が停止し、停止図柄が所定態様を形成していた際に特別遊技状態となるものであって、遊技者が操作し得る操作手段が付設され、該操作手段が操作されると図柄変動表示時間が短縮されるようにしたパチンコ遊技機において、
図柄変動時間が短縮される度合には大幅な短縮の第１モードと小幅な短縮の第２モードとの少なくとも２種類が備えられ、操作手段が操作されることにより常には第２モードにて図柄変動時間が短縮され、所定条件が充足された場合に予め定められた回数に限って第１モードで図柄変動時間が短縮されるようにする図柄変動時間短縮制御手段を設けたことを特徴とするパチンコ遊技機。
【請求項９】
遊技盤の遊技領域の特定位置に設けられた検出スイッチにより遊技球が検出された場合に予め定められた回数に限って第１モードで図柄変動時間が短縮されるようにする図柄変動時間短縮制御手段を設けた請求項８に記載のパチンコ遊技機。
【請求項１０】
始動条件の成立に伴い図柄変動表示器に表示された図柄が変動表示し、所定時間経過後にその変動表示が停止し、停止図柄が所定態様を形成していた場合に予め定められた回数に限って第１モードで図柄変動時間が短縮されるようにする図柄変動時間短縮制御手段を設けた請求項８に記載のパチンコ遊技機。
【請求項１１】
現在の遊技状態が第１モードであるか第２モードであるかを遊技者に報知する報知手段を設けた請求項８〜１０のいずれかに記載のパチンコ遊技機。
【請求項１２】
第１モードで図柄変動時間が短縮される回数または期間を遊技者に報知する報知手段を設けた請求項８〜１１のいずれかに記載のパチンコ遊技機。
【発明の詳細な説明】
【技術分野】
【０００１】
本発明は、始動条件の成立に伴い図柄変動表示器に図柄が変動表示され、所定時間経過後のその変動表示が停止され、その停止図柄が所定態様を形成していた際に遊技者にとって有利な特別遊技状態となるパチンコ遊技機に関するものである。
【背景技術】
【０００２】
第１種パチンコ遊技機は、周知のように、遊技盤に少なくとも始動口と図柄変動表示器と可変入賞装置が設けられ、遊技球が始動口に入賞することで乱数が取得され、図柄変動表示器の表示図柄が変動を開始し、所定時間経過後に変動停止し、その停止図柄が所定の確率（１／３００程度）で偶然性をもって例えば「２２２」または「７７７」，「☆☆☆」のように予め定められた所定図柄となった場合に大当たりが発生し、特別遊技状態となって可変入賞装置が繰り返し開成状態となり遊技者にとって所定期間有利になるものである。
【０００３】
一方、近年では、下記特許文献１に示されたように、上記パチンコ遊技機に遊技者が任意に操作し得る押ボタンスイッチ等の操作手段が設けられ、該操作手段を操作することにより変動図柄の変動表示時間が短縮されて短時間で図柄変動が停止するように構成されたものが知られている。
【特許文献１】特開平７−１００２５５号公報
【発明の開示】
【発明が解決しようとする課題】
【０００４】
しかし上記のように図柄変動表示時間を短縮できるパチンコ遊技機では、一定時間内に消化し得る図柄変動回数が、従来のパチンコ遊技機と比較して激的に増加するため、賭博性が強くなり過度に射幸心を煽ることとなるという問題が生じていた。
【０００５】
本発明はこのような課題を解決し、適度な遊技性を備えたパチンコ遊技機を提供しようとするものである。
【課題を解決するための手段】
【０００６】
上記課題を解決するため請求項１に記載の発明は、始動条件の成立に伴い図柄変動表示器に表示された図柄が変動表示され、所定時間経過後に変動表示が停止してその停止図柄が所定態様を形成していた際に特別遊技状態となるパチンコ遊技機であって、遊技者が操作し得る操作手段が付設され、該操作手段が操作されると前記図柄変動表示時間が短縮されるようにしたものにおいて、操作手段が操作されても図柄変動時間短縮が常には許容されず、所定条件が充足された場合に予め定められた回数に限って許容されるようにする図柄変動時間短縮制御手段を設けたことを特徴とする。
【０００７】
また請求項２に記載の発明は、始動条件の成立に伴い図柄変動表示器に表示された図柄が変動表示し、所定時間経過後にその変動表示が停止し、停止図柄が所定態様を形成していた際に特別遊技状態となるものであって、遊技者が操作し得る操作手段が付設され、該操作手段が操作されると図柄変動表示時間が短縮されるようにしたパチンコ遊技機において、操作手段が操作されても図柄変動時間短縮が常には許容されず、遊技盤の遊技領域の特定位置に設けられた検出スイッチにより遊技球が検出された場合に予め定められた回数に限って許容されるようにする図柄変動時間短縮制御手段を設けたことを特徴とする。
【０００８】
また請求項３に記載の発明は、上記請求項１または２に記載のパチンコ遊技機において、図柄変動時間短縮が許容される回数は抽選により決定されるようにしたことを特徴とする。
【０００９】
また請求項４に記載の発明は、上記請求項１〜３のいずれかに記載のパチンコ遊技機において、図柄変動時間短縮が許容されることを遊技者に報知する報知手段を設けたことを特徴とする。
【００１０】
また請求項５に記載の発明は、上記請求項１〜４のいずれかに記載のパチンコ遊技機において、図柄変動時間短縮が許容される回数が累積して記憶されるようにするとともに、その累積記憶回数を遊技者に報知する報知手段を設けたことを特徴とする。
【００１１】
また請求項６に記載の発明は、上記請求項１〜５のいずれかに記載のパチンコ遊技機において、特別遊技状態となったとき、所定時間遊技が行われていないとき、電源が開閉されたとき等、予め定められた条件が満たされた場合に、図柄変動時間短縮の許容が取り消されるようにしたことを特徴とする。
【００１２】
また請求項７に記載の発明は、請求項１または請求項３〜６のいずれかに記載のパチンコ遊技機において、始動条件の成立に伴い図柄変動表示器に表示された図柄が変動表示し、所定時間経過後にその変動表示が停止し、停止図柄が所定態様を形成していた場合に予め定められた回数に限って図柄変動時間短縮が許容されるようにする図柄変動時間短縮制御手段を設けたことを特徴とする。
【００１３】
また請求項８に記載の発明は、始動条件の成立に伴い図柄変動表示器に表示された図柄が変動表示し、所定時間経過後にその変動表示が停止し、停止図柄が所定態様を形成していた際に特別遊技状態となるものであって、遊技者が操作し得る操作手段が付設され、該操作手段が操作されると図柄変動表示時間が短縮されるようにしたパチンコ遊技機において、図柄変動時間が短縮される度合には大幅な短縮の第１モードと小幅な短縮の第２モードとの少なくとも２種類が備えられ、操作手段が操作されることにより常には第２モードにて図柄変動時間が短縮され、所定条件が充足された場合に予め定められた回数に限って第１モードで図柄変動時間が短縮されるようにする図柄変動時間短縮制御手段を設けたことを特徴とする。
【００１４】
また請求項９に記載の発明は、上記請求項８に記載のパチンコ遊技機において、遊技盤の遊技領域の特定位置に設けられた検出スイッチにより遊技球が検出された場合に予め定められた回数に限って第１モードで図柄変動時間が短縮されるようにする図柄変動時間短縮制御手段を設けたことを特徴とする。
【００１５】
また請求項１０に記載の発明は、上記請求項８に記載のパチンコ遊技機において、始動条件の成立に伴い図柄変動表示器に表示された図柄が変動表示し、所定時間経過後にその変動表示が停止し、停止図柄が所定態様を形成していた場合に予め定められた回数に限って第１モードで図柄変動時間が短縮されるようにする図柄変動時間短縮制御手段を設けたことを特徴とする。
【００１６】
また請求項１１に記載の発明は、上記請求項８〜１０のいずれかに記載のパチンコ遊技機において、現在の遊技状態が第１モードであるか第２モードであるかを遊技者に報知する報知手段を設けたことを特徴とする。
【００１７】
また請求項１２に記載の発明は、上記請求項８〜１１のいずれかに記載のパチンコ遊技機において、第１モードで図柄変動時間が短縮される回数または期間を遊技者に報知する報知手段を設けたことを特徴とする。
【発明の効果】
【００１８】
請求項１に記載の発明では、操作手段が操作されても限定的に図柄変動時間が短縮されることにより、図柄変動回数が短時間で極端に多くなることがない。そして、例えば大当たり終了後や、特定のリーチ演出が発生したことを条件とし、図柄変動時間を短縮し得る権利を所定回数与えることが可能であるので、通常遊技と図柄変動時間短縮遊技とが適度に実行され、遊技者に適度に射幸心が与えられるバランスのとれたパチンコ遊技機を提供できる。
【００１９】
請求項２に記載の発明では、例えば大入賞口のカウントスイッチや継続スイッチに図柄変動時間を短縮できる権利を生じさせる機能を併せ持たせることによって、大当たり終了後の特典として遊技者に多量の図柄変動時間短縮権を付与できるようになる。これにより遊技者に適度に射幸心が与えられ、通常遊技と図柄変動時間短縮遊技とのバランスのとれたパチンコ遊技機を提供できる。
【００２０】
請求項３に記載の発明では、抽選の楽しみが加担され遊技性が増す。
【００２１】
請求項４に記載の発明では、図柄変動時間短縮が可能であることが報知され、遊技者がその短縮権を逸失してしまうおそれがなくなる。また、図柄変動時間短縮に関する遊技上のトラブルがなくなり、遊技者が操作手段を無用に操作することもなくなる。
【００２２】
請求項５に記載の発明では、例えば短縮権を多数貯めて後に一気に使用したり、或いは短縮権が生じる度に使用することができるなど、遊技者の意向によって自由に戦略的に遊技を進行させることができるので、遊技者の遊技参加意識ができ興趣が増大する。またその累積記憶回数が報知されることにより、遊技者が短縮権を逸失してしまうことがない。
【００２３】
請求項６に記載の発明では、遊技者が交替した場合等に対処できるとともに、短縮権が過剰に累積されるのを防ぎ得る。
【００２４】
請求項７に記載の発明では、例えば大当たり態様で変動図柄が停止したことを契機として図柄変動時間短縮が許容されるようになり遊技性が向上する。
【００２５】
請求項８に記載の発明では、図柄変動時間の短縮度合が抑制され、図柄変動回数が短時間で極端に多くなることがない。
【００２６】
請求項９に記載の発明では、例えば特定の普通入賞口へ遊技球が入賞することにより第１モードが設定され図柄変動時間短縮がなされようにすることにより遊技性が向上する。
【００２７】
請求項１０に記載の発明では、例えば大当たり態様で変動図柄が停止したことを契機として第１モードが設定され図柄変動時間短縮がなされるようになり遊技性が向上する。
【００２８】
請求項１１および１２に記載の発明では、図柄変動時間短縮の可否に関する現況が遊技者に報知されるとともに、その累積を楽しみにできるとともに、遊技者がその短縮権を逸失してしまうおそれをなくすことができる。
【実施例１】
【００２９】
次に本発明の実施例を説明する。図１にこのパチンコ遊技機の遊技盤の正面を示す。図中、１は遊技盤、２は該遊技盤の遊技領域に設けられた天入賞口、３は左右入賞口、４は該天入賞口に入賞球を検出するために設けられた検出スイッチ、５は該左右入賞口に入賞球を検出するために設けられた検出スイッチで、これらの入賞口は遊技球が１個入球すると１０個の景品球が払い出される所謂普通入賞口である。
【００３０】
６は遊技盤上に設けられた通過ゲート式の入賞口、７は該入賞口に設けられた検出スイッチ、８は該入賞口６を遊技球が通過することにより数字を変動表示する７セグメント発光数字表示器からなる表示器である。また、９はソレノイドの作動により一対の翼片１０が開閉動するように遊技盤１の遊技領域に設けられたチューリップ型の始動口で、該翼片１０は表示器８の停止数字に従い開閉動する。１１は該始動口９に入賞した遊技球を検出するために設けられた検出スイッチである。
【００３１】
また、１２は遊技球が始動口９に入球することによって１〜８の数字および○，☆，◇，◎等の表示図柄が変動を開始するカラー液晶ディスプレイからなる図柄変動表示器である。
【００３２】
また、１３は遊技盤１の遊技領域で前記始動口９の下部領域に設けられた可変入賞装置で、該可変入賞装置は横長状の大入賞口にソレノイドによって開閉動する横長板状の開閉扉１５が設けられている。なお、１４は該可変入賞装置に入賞した遊技球を検出する検出スイッチである。
【００３３】
図２はこのパチンコ遊技機の電子回路における本発明と関連する装置のみを示したブロック図で、ＣＰＵ，ＲＡＭ，ＲＯＭからなるマイクロコンピュータにＩ／Ｏを介して前記検出スイッチ４，検出スイッチ５，検出スイッチ７，検出スイッチ１１，検出スイッチ１４、および、前記図柄変動表示器１２，賞球払出制御装置１７、および、前記翼片１０を作動させるソレノイド１８、前記開閉扉１５を作動させるソレノイド１９が接続される。
【００３４】
また、１６は遊技者が任意に操作し得るようにパチンコ遊技機の前面に設けられた押しボタンスイッチからなる操作手段で、該操作手段が操作されることによりその信号がＩ／Ｏを介してＣＰＵに入力される。また、２０は図柄変動表示器１２の一部に図柄変動時間の短縮の可否、および、短縮権の累積数等を表示させる短縮モード表示手段である。そしてこのＣＰＵにＲＯＭに記憶された遊技プログラムが読み込まれて、アクティブな状態となることにより、図柄変動制御手段，大当たり判定制御手段，特別遊技制御手段、および、図柄変動時間短縮制御手段等が備えられる。
【００３５】
そして、検出スイッチ１１により始動口９への遊技球の入球が検知されることにより賞球払出装置１７が作動し７個の賞球が遊技者に払い出されると同時に、図柄変動表示器１２に１〜９の数字および☆◆◎▽からなる図柄が３列にて変動表示され、その数秒後に変動が停止し、その停止図柄が例えば「２２２」，「５５５」，「７７７」等の所定図柄に揃った場合に大当たりとなり特別遊技状態となって可変入賞装置１３の開閉扉１５が継続的に開閉動し、多数の遊技球を該可変入賞装置に入賞可能となり、遊技者に多くの利益がもたらされる。
【００３６】
次に本発明の図柄変動時間短縮制御手段に係る請求項１〜４に記載のパチンコ遊技機の実施例を図３，図４の略フローチャートに従い説明する。図３は図柄変動時間短縮権の付与と喪失に係る略フローチャートで、常態ではステップ（イ）により短縮操作不許容状態に設定される。そして、例えば前記天入賞口２等の予め決められた入賞口に遊技球が入賞し検出スイッチ４により検出されるとステップ（ロ）にて短縮権獲得が決定され、ステップ（ハ）にて短縮権数としてＸ（例えば１０回、２０回、３０回のいずれか）が抽選で与えられる。そしてステップ（ニ）にて短縮操作許容状態に設定され、ステップ（ホ）にてその短縮操作許容状態であること、および、短縮権数を図柄変動表示器１２の一部に表示する。図５はその表示の一例を示すものである。そしてこの状態で遊技者が操作手段１６を操作するとステップ（ヘ）からステップ（ト）に移行し短縮権数が「１」回減算されステップ（チ）にて短縮権数が「０」でないかどうかが判別され、短縮権数が「０」であるとステップ（イ）に戻り、「０」になるまで短縮操作許容状態が維持される。従って、図柄変動表示器１２の一部に表示される短縮権数は短縮操作が実行されるに従って「１」回ずつ減ってゆく。
【００３７】
また、図４の遊技の進行に係る略フローチャートに示したように、ステップａにて始動口９へ遊技球が入賞し始動条件が成立するとステップｂにて図柄変動表示器１２に図柄が変動表示され、ステップｃにて短縮操作許容状態であるかどうかが判別され、短縮操作許容状態である場合はさらにステップｄにて遊技者が操作手段１６を操作したかどうかが判別され、操作した場合はステップｅに移行して変動中の図柄をすぐに停止させ、そうでない場合はステップｆにて通常の変動時間が経過した後に変動を停止させる。そしてステップｇにてその停止図柄が判定され、上記のようにその停止図柄が「２２２」，「５５５」，「７７７」等の特定図柄となった場合に遊技者にとって有利な特別遊技状態となる。
【００３８】
なお、請求項５記載の発明は、上記短縮権が未だ残存しているときに新たに天入賞口２等に遊技球が入賞した場合にその短縮権が累積されるようにするもので、遊技者は多数の短縮権を貯めて後に一気に使用するなど、使用したいときに自由に使用することができる。
【００３９】
また、上記短縮権は、特別遊技状態となったとき、所定時間遊技が行われていないとき、電源が開閉されたとき等、予め定められた条件が満たされた場合に、取り消されるようにすることにより、過剰に累積されることがないようにするのが望ましい。
【００４０】
なおこの実施例では、天入賞口２の検出スイッチ４により遊技球が検出された場合に図柄変動時間短縮が許容されるようにしたが、他の入賞口、やゲートにより遊技球が検知された場合に図柄変動時間短縮が許容されるようにしてもよい。
【００４１】
また、請求項７に記載したように、図柄変動時間短縮を許容する契機として、図柄変動表示器１２の停止図柄が例えば「３３３」，「５５５」等の奇数にて揃って大当たりとなった場合のように所定態様を形成していた場合に図柄変動時間短縮が許容されるようにしてもよい。また、図柄変動時間短縮の許容と他の何らかの特典とが同時にもたらされるようにしてもよい。
【実施例２】
【００４２】
次に請求項８〜１２に記載の発明の実施例を図６，図７の略フローチャートに従い説明する。図６に示すように、このパチンコ遊技機は、常態ではステップ（イ）により第２モードに設定される。そして、例えば前記天入賞口２等の予め決められた入賞口に遊技球が入賞し検出スイッチ４により検出されるとステップ（ロ）からステップ（ハ）に移行し、第１モードに設定される。そして、所定の第１モード終了条件が成立したときステップ（ニ）よりステップ（イ）に戻り、再び第２モードに設定される。
【００４３】
また、図７の遊技の進行に係る略フローチャートに示したように、ステップａにて始動口９へ遊技球が入賞し始動条件が成立するとステップｂにて図柄変動表示器１２に図柄が変動表示され、ステップｃにて遊技者が操作手段１６を操作したかどうかが判別され、操作しなかった場合はステップｇに移行して通常の図柄変動時間（例えば１０秒間）にて図柄変動を停止させ、操作手段１６を操作した場合はステップｄに移行し遊技状態が上記第１モードに設定されているかどうかが判別され、第１モードに設定されている場合はステップｆに移行して図柄変動を直ちに停止させる。またステップｄにて第１モードに設定されてないと判別された場合はステップｅに移行することにより図柄変動を通常の半分（例えば５秒間）の時間にて停止させる。このようにこのパチンコ遊技機の図柄変動時間短縮制御手段には、大幅に図柄変動時間が短縮される第１モードと、小幅に図柄変動時間が短縮される第２モードとの２種類が備えられ、操作手段１６が操作されたとき第１モードであった場合は図柄変動を直ちに停止させることにより図柄変動時間が大幅に短縮され、第２モードであった場合は小幅に図柄変動時間が短縮されるようにするものである。
【００４４】
なお、第２モードから第１モードへ移行する条件は、上記実施例と同様に特定の入賞口に遊技球が入賞した場合、或いは、図柄変動表示器１２の停止図柄が例えば「３３３」，「５５５」等の奇数にて揃って大当たりとなった場合のように所定態様を形成した場合としてもよい。また、第１モード終了条件、即ち、第１モードから第２モードに戻る条件は、第１モードに移行してから所定時間が経過したこと、或いは、図柄変動表示が所定回数行われたこと、或いは、第１モードにて所定回数図柄変動時間が短縮されたこととするなど、種々の設定が可能である。
【００４５】
また、パチンコ遊技機の現況が第１モードであるのか、第２モードであるのかを図柄変動表示器１２等に表示し遊技者に報知するとともに、上記実施例と同様に図柄変動時間短縮権が累積されるようにし、第１モードにおいて可能な短縮権数が遊技者に報知させるようにすることにより、この実施例の場合も遊技者の自由意思で短縮権を使用することができるようになる。
【００４６】
そしてこの実施例の場合も、図柄変動時間の短縮度合が抑制され、図柄変動回数が短時間で極端に多くなることがないので、賭博性が一定に抑えられるとともに、遊技者に適度な射幸心を与えることができる。
【図面の簡単な説明】
【００４７】
【図１】本発明の実施例であるパチンコ遊技機の遊技盤の正面図。
【図２】本発明の実施例であるパチンコ遊技機のブロック図。
【図３】本発明の実施例であるパチンコ遊技機の略フローチャート。
【図４】本発明の実施例であるパチンコ遊技機の略フローチャート。
【図５】本発明の実施例であるパチンコ遊技機の図柄変動表示器の表示例図。
【図６】本発明の実施例であるパチンコ遊技機の略フローチャート。
【図７】本発明の実施例であるパチンコ遊技機の略フローチャート。
【符号の説明】
【００４８】
１          遊技盤
９          始動口
４          検出スイッチ
１２        図柄変動表示器
１３        可変入賞装置
１６        操作手段
【図１】
2005143584.tif 000003
【図２】
2005143584.tif 000004
【図３】
2005143584.tif 000005
【図４】
2005143584.tif 000006
【図５】
2005143584.tif 000007
【図６】
2005143584.tif 000008
【図７】
2005143584.tif 000009